(57)【要約】【課題】  二値の回転検出信号によってファンの回転異常を検知でき、さらに誤検知を抑制することができる点灯装置、前照灯装置、及び車両を提供する。【解決手段】  点灯装置１では、出力調整回路１３は、平滑回路１３２と、制御回路１３１とを備える。平滑回路１３２は、ファン４の回転状態に応じた二値の回転検出信号Ｓ３を入力されて、回転検出信号Ｓ３を平滑した平滑信号Ｓ４を生成する。制御回路１３１は、平滑信号Ｓ４に基づいてファン４の回転異常を検知する。そして、制御回路１３１は、平滑信号Ｓ４が第１所定時間に亘って上限閾値以上になった場合、または平滑信号Ｓ４が第２所定時間に亘って下限閾値以下になった場合に、ファン４の回転異常を検知する。【選択図】図１
2018166068.tif 000002
【特許請求の範囲】
【請求項１】
照明負荷へ第１電力を出力することで前記照明負荷を点灯させる第１電源回路と、
前記第１電源回路と前記照明負荷との少なくとも一方を冷却するファンを回転駆動するための第２電力を前記ファンへ出力する第２電源回路と、
前記第１電源回路及び前記第２電源回路を制御して、前記第１電力及び前記第２電力を調整する出力調整回路とを備え、
前記出力調整回路は、
前記ファンの回転状態に応じた二値の回転検出信号を入力されて、前記回転検出信号を平滑した平滑信号を生成する平滑回路と、
前記平滑信号に基づいて前記ファンの回転異常が発生しているか否かを判定し、前記回転異常を検知した場合に、前記第１電力及び前記第２電力の少なくとも一方を変化させる制御回路とを備え、
前記制御回路は、前記平滑信号が第１所定時間に亘って上限閾値以上になった場合、または前記平滑信号が第２所定時間に亘って下限閾値以下になった場合に、前記回転異常を検知し、
前記上限閾値は、前記下限閾値より大きい
点灯装置。
【請求項２】
前記制御回路は、前記平滑信号が前記第１所定時間に亘って上限閾値以上になった回数または前記平滑信号が前記第２所定時間に亘って下限閾値以下になった回数が、所定回数以上になった場合に、前記回転異常を検知する請求項１記載の点灯装置。
【請求項３】
前記制御回路は、前記回転異常を検知した場合に、前記第１電力及び前記第２電力の少なくとも一方の出力を停止させる請求項１または２記載の点灯装置。
【請求項４】
前記制御回路は、前記回転異常を検知すると、前記ファンの回転駆動が開始されてから所定時間が経過した後でのみ前記第１電力及び前記第２電力を変化させる請求項１乃至３のいずれか一項に記載の点灯装置。
【請求項５】
前記第１所定時間及び前記第２所定時間は、前記平滑回路の時定数と、前記上限閾値及び前記下限閾値とに応じた値に設定されている請求項１乃至４のいずれか一項に記載の点灯装置。
【請求項６】
前記平滑回路は、抵抗及びコンデンサを有するローパスフィルタである請求項１乃至５のいずれか一項に記載の点灯装置。
【請求項７】
前記平滑回路は、オペアンプ、抵抗及びコンデンサを有するローパスフィルタである請求項１乃至５のいずれか一項に記載の点灯装置。
【請求項８】
前記ローパスフィルタのカットオフ周波数は、前記回転検出信号の周波数に応じて設定されている請求項６または７記載の点灯装置。
【請求項９】
前記回転検出信号は、前記ファンの回転に同期したパルス信号である請求項１乃至８のいずれか一項に記載の点灯装置。
【請求項１０】
前記回転検出信号は、前記回転異常が発生していない場合に、前記二値のうち一方の値になり、前記回転異常が発生している場合に、前記二値のうち他方の値になる請求項１乃至８のいずれか一項に記載の点灯装置。
【請求項１１】
前記照明負荷は複数の固定発光素子を備えており、
前記制御回路は、前記第１電力を変化させる場合、前記複数の固定発光素子へ供給する電流を変化させ、前記第２電力を変化させる場合、前記ファンへ出力する電圧を変化させる請求項１乃至１０のいずれか一項に記載の点灯装置。
【請求項１２】
請求項１乃至１１のいずれか一項に記載の点灯装置と、
前記回転検出信号を出力するファンと
前記点灯装置及び前記ファンが取り付けられる灯具本体と
を備える前照灯装置。
【請求項１３】
請求項１２記載の前照灯装置と、前記前照灯装置を搭載した車体とを備える車両。
【発明の詳細な説明】
【技術分野】
【０００１】
本発明は、点灯装置、前照灯装置、及び車両に関する。
【背景技術】
【０００２】
従来、ＬＥＤ（Light Emitting Diode）などの光源を点灯させる点灯装置が普及している。車載の前照灯を点灯させる点灯装置の分野においても、ＬＥＤなどを光源とした前照灯装置が量産化されている。
【０００３】
従来の前照灯装置は、光源を冷却するために冷却用のファンを備えている場合がある。この従来の前照灯装置は、ファンを駆動することによって熱の拡散効果を高めて、光源の発熱による高温化を抑制している。しかし、ファンの経年劣化などの原因によって、ファンの回転数が減少したり、ファンの回転が停止したりすることがある。ファンの回転数が減少したり、ファンの回転が停止したりすると、光源が高温となって、不具合の要因になう可能性がある。
【０００４】
そこで、特許文献１にて開示されている前照灯装置は、ファンの回転数と同期したパルス信号をファンから入力され、パルス信号の１周期におけるハイレベル期間又はローレベル期間（パルス幅）が所定の時間以上である場合に、ファンの回転異常を検知する。そして、特許文献１では、ファンの回転異常が検知されると、前照灯装置の制御回路が、光源及びファンへの電力供給を停止させる。
【先行技術文献】
【特許文献】
【０００５】
【特許文献１】特開２０１０−１５３３４３号公報
【発明の概要】
【発明が解決しようとする課題】
【０００６】
上述の特許文献１のように、ファンの回転状態を示す回転検出信号として、パルス信号のような二値の信号を用いる点灯装置がある。
【０００７】
しかしながら、特許文献１のような従来技術では、二値の回転検出信号の瞬時的な変動によって回転異常を誤って検知する誤検知の可能性があった。
【０００８】
本発明の目的は、二値の回転検出信号によってファンの回転異常を検知でき、さらに誤検知を抑制することができる点灯装置、前照灯装置、及び車両を提供することにある。
【課題を解決するための手段】
【０００９】
本発明の一態様に係る点灯装置は、第１電源回路と、第２電源回路と、出力調整回路とを備える。前記第１電源回路は、照明負荷へ第１電力を出力することで前記照明負荷を点灯させる。前記第２電源回路は、前記第１電源回路と前記照明負荷との少なくとも一方を冷却するファンを回転駆動するための第２電力を前記ファンへ出力する。前記出力調整回路は、前記第１電源回路及び前記第２電源回路を制御して、前記第１電力及び前記第２電力を調整する。そして、前記出力調整回路は、平滑回路と、制御回路とを備える。前記平滑回路は、前記ファンの回転状態に応じた二値の回転検出信号を入力されて、前記回転検出信号を平滑した平滑信号を生成する。前記制御回路は、前記平滑信号に基づいて前記ファンの回転異常が発生しているか否かを判定し、前記回転異常を検知した場合に、前記第１電力及び前記第２電力の少なくとも一方を変化させる。そして、前記制御回路は、前記平滑信号が第１所定時間に亘って上限閾値以上になった場合、または前記平滑信号が第２所定時間に亘って下限閾値以下になった場合に、前記回転異常を検知する。前記上限閾値は、前記下限閾値より大きい。
【００１０】
本発明の一態様に係る前照灯装置は、上述の点灯装置と、前記回転検出信号を出力するファンと、前記点灯装置及び前記ファンが取り付けられる灯具本体とを備える。
【００１１】
本発明の一態様に係る車両は、上述の前照灯装置と、前記前照灯装置を搭載した車体とを備える。
【発明の効果】
【００１２】
以上説明したように、本発明では、二値の回転検出信号によってファンの回転異常を検知でき、さらに誤検知を抑制することができるという効果がある。
【図面の簡単な説明】
【００１３】
【図１】図１は、実施形態１に係る点灯装置を示すブロック図である。
【図２】図２は、同上の平滑回路の構成を示す回路図である。
【図３】図３Ａは、同上の回転検出信号を示す波形図である。図３Ｂは、同上の平滑信号を示す波形図である。図３Ｃは、同上の負荷電流を示す波形図である。図３Ｄは、同上の駆動電圧を示す波形図である。
【図４】図４は、同上の始動時の平滑信号を示す波形図である。
【図５】図５は、実施形態２に係る点灯装置の平滑回路の構成を示す回路図である。
【図６】図６Ａは、同上の回転検出信号を示す波形図である。図６Ｂは、同上の平滑信号を示す波形図である。図６Ｃは、同上の負荷電流を示す波形図である。
【図７】図７は、実施形態３に係る点灯装置の平滑回路の構成を示す回路図である。
【図８】図８Ａは、同上の回転検出信号を示す波形図である。図８Ｂは、同上の平滑信号を示す波形図である。図８Ｃは、同上の駆動電圧を示す波形図である。
【図９】図９は、同上の平滑回路の変形例の構成を示す回路図である。
【図１０】図１０は、前照灯装置の構成を示す断面図である。
【図１１】図１１は、車両の一部の構成を示す斜視図である。
【発明を実施するための形態】
【００１４】
以下の実施形態は、一般に、点灯装置、前照灯装置、及び車両に関する。より詳細には、以下の実施形態は、二値の回転検出信号によってファンの異常を検知する点灯装置、前照灯装置、及び車両に関する。
【００１５】
以下に本発明の実施形態を図面に基づいて説明する。
【００１６】
（実施形態１）
図１は、実施形態１の点灯装置１のブロック構成を示す。
【００１７】
点灯装置１は、第１電源回路１１と、第２電源回路１２と、出力調整回路１３とを備えている。
【００１８】
第１電源回路１１は、照明負荷２に第１電力を出力する。照明負荷２は、光源として複数のＬＥＤ２１を備えており、第１電力によって点灯する。具体的に、第１電源回路１１は、バッテリなどの直流電源３から直流電力を入力され、照明負荷２に直流の第１電力を出力する。第１電源回路１１は、電流可変回路で構成されており、出力調整回路１３から入力された第１制御信号Ｓ１に基づいて、照明負荷２に供給する負荷電流Ｉｏを電流目標値に一致させるように動作する。したがって、電流目標値が変化すると、第１電源回路１１から照明負荷２に供給される負荷電流Ｉｏも変化する。この場合、負荷電流Ｉｏの調整が第１電力の調整に相当する。
【００１９】
第２電源回路１２は、直流電源３から直流電力を入力され、ファン４に直流の第２電力を出力する。第２電源回路１２は、電圧可変回路で構成されており、出力調整回路１３から入力された第２制御信号Ｓ２に基づいて、ファン４に出力する駆動電圧Ｖｏを電圧目標値に一致させるように動作する。したがって、電圧目標値が変化すると、第２電源回路１２からファン４に出力される駆動電圧Ｖｏも変化する。この場合、駆動電圧Ｖｏの調整が第２電力の調整に相当する。
【００２０】
出力調整回路１３は、制御回路１３１と、平滑回路１３２とを備える。そして、出力調整回路１３は、第１電源回路１１の動作を制御して、負荷電流Ｉｏを調整する。また、出力調整回路１３は、第２電源回路１２の動作を制御して、駆動電圧Ｖｏを調整する。
【００２１】
制御回路１３１は、例えばコンピュータを有する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイコン（Microcomputer）のいずれであってもよい。記憶用のデバイスには、半導体メモリのようにアクセス時間が短い記憶装置が主に用いられる。プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。そして、制御回路１３１は、コンピュータがプログラムを実行することで、第１電源回路１１及び第２電源回路１２をそれぞれ制御する。
【００２２】
また、制御回路１３１は、光源の点灯制御を行う点灯制御用ＩＣ（Integrated Circuit）によって構成されてもよい。
【００２３】
具体的に、制御回路１３１は、電流目標値を通知する第１制御信号Ｓ１を第１電源回路１１へ出力する。第１電源回路１１は、第１制御信号Ｓ１によって通知された電流目標値に負荷電流Ｉｏを一致させるように動作する。また、制御回路１３１は、電圧目標値を通知する第２制御信号Ｓ２を第２電源回路１２へ出力する。第２電源回路１２は、第２制御信号Ｓ２によって通知された電圧目標値に駆動電圧Ｖｏを一致させるように動作する。
【００２４】
ファン４は、第１電源回路１１及び照明負荷２へ送風して、第１電源回路１１及び照明負荷２を冷却する。ファン４は、回転する羽根４１を有しており、羽根４１が回転することで風を発生させている。そして、ファン４は、駆動電圧Ｖｏが高ければ、単位時間当たりの回転数が多くなって、第１電源回路１１及び照明負荷２の各放熱量が増大する。また、ファン４は、駆動電圧Ｖｏが低ければ、単位時間当たりの回転数が少なくなって、第１電源回路１１及び照明負荷２の各放熱量が減少する。すなわち、ファン４は、駆動電圧Ｖｏに比例して回転数が増減するように構成されている。なお、ファン４は、第１電源回路１１及び照明負荷２のいずれか一方のみを冷却してもよい。
【００２５】
さらに、ファン４は、信号発生部４２を備えている。この信号発生部４２は、磁石４２１と、磁界センサ４２２と、出力回路４２３とを有する。磁石４２１は、羽根４１と一体に回転する。磁界センサ４２２は、回転する磁石４２１による磁界の変化を検出する。出力回路４２３は、磁界センサ４２２が検出した磁界の変化を電気信号に変換することで、ファン４の回転に同期した二値の回転検出信号Ｓ３を出力する。回転検出信号Ｓ３は、ファン４の回転に同期してＨレベル（High Level）の電圧とＬレベル（Low Level）の電圧とを交互に繰り返すパルス信号である。そして、図３Ａに示すように、ファン４の回転数が高い場合、Ｈレベル及びＬレベルの各期間が短くなって、回転検出信号Ｓ３の周波数が高くなる。また、ファン４の回転数が低い場合、Ｈレベル及びＬレベルの各期間が長くなって、回転検出信号Ｓ３の周波数が低くなる。
【００２６】
回転検出信号Ｓ３は、平滑回路１３２に入力される。そして、平滑回路１３２は、回転検出信号Ｓ３を平滑して、平滑信号Ｓ４を出力する。すなわち、平滑信号Ｓ４は、ファン４の回転数が変化すると、電圧が変化する直流の電圧信号である。
【００２７】
平滑信号Ｓ４は、制御回路１３１に入力される。そして、制御回路１３１は、平滑信号Ｓ４の電圧に基づいて、ファン４の回転異常が発生しているか否かを判定する。そして、制御回路１３１は、ファン４の回転異常が発生していると判定した場合に、ファン４の回転異常を検知する。
【００２８】
制御回路１３１は、照明負荷２を点灯させる場合、ファン４の回転異常を検知していなければ、予め決められている通常時の電流目標値を、第１制御信号Ｓ１によって第１電源回路１１へ通知する。また、制御回路１３１は、照明負荷２を点灯させる場合、ファン４の回転異常を検知していなければ、予め決められている通常時の電圧目標値を、第２制御信号Ｓ２によって第２電源回路１２へ通知する。したがって、ファン４の回転異常が発生していなければ、照明負荷２の点灯状態は通常時の点灯状態に制御され、ファン４の回転数は通常時の回転数に制御される。
【００２９】
また、制御回路１３１は、照明負荷２を点灯させる場合、ファン４の回転異常を検知していれば、予め決められている異常時の電流目標値を、第１制御信号Ｓ１によって第１電源回路１１へ通知する。また、制御回路１３１は、照明負荷２を点灯させる場合、ファン４の回転異常を検知していれば、予め決められている異常時の電圧目標値を、第２制御信号Ｓ２によって第２電源回路１２へ通知する。したがって、ファン４の回転異常が発生していれば、照明負荷２の点灯状態は異常時の状態に制御され、ファン４の回転数は異常時の回転数に制御される。
【００３０】
以下、出力調整回路１３（制御回路１３１、平滑回路１３２）について、詳細に説明する。
【００３１】
まず、図２に示すように、ファン４（信号発生部４２）の出力回路４２３の出力段は、ＮＰＮ型のトランジスタ４２ａを備えるオープンコレクタ方式になっている。そして、トランジスタ４２ａのコレクタが平滑回路１３２の入力に電気的に接続され、トランジスタ４２ａのエミッタが平滑回路１３２の制御グランドに電気的に接続されている。
【００３２】
平滑回路１３２は、図２に示すように、プルアップ用の抵抗１３ａ、平滑用の抵抗１３ｂ、及び平滑用のコンデンサ１３ｃを備える。抵抗１３ａの一端は、出力調整回路１３の制御電圧Ｖｃに電気的に接続されており、抵抗１３ａの他端は、抵抗１３ｂの一端に電気的に接続されている。抵抗１３ｂの他端は、コンデンサ１３ｃの一端に電気的に接続されており、コンデンサ１３ｃの他端は、平滑回路１３２の制御グランドに電気的に接続されている。そして、抵抗１３ａと抵抗１３ｂとの接続点が、平滑回路１３２の入力となって、トランジスタ４２ａのエミッタに電気的に接続されている。
【００３３】
したがって、トランジスタ４２ａがファン４の回転に同期してオンオフすることで、トランジスタ４２ａのコレクタには、ファン４の回転に同期した回転検出信号Ｓ３が発生する。この場合、回転検出信号Ｓ３のＨレベルの電圧は、制御電圧Ｖｃと同電位になり、回転検出信号Ｓ３のＬレベルの電圧は、平滑回路１３２の制御グランドと同電位になる。
【００３４】
そして、抵抗１３ｂとコンデンサ１３ｃとは、ローパスフィルタ１３ｄを構成しており、回転検出信号Ｓ３は、このローパスフィルタ１３ｄによって平滑される。平滑回路１３２は、コンデンサ１３ｃの両端電圧を、平滑信号Ｓ４として出力する。
【００３５】
制御回路１３１は、平滑信号Ｓ４と比較するための上限閾値Ｖｔ１及び下限閾値Ｖｔ２が予め設定されている。上限閾値Ｖｔ１及び下限閾値Ｖｔ２は正値であり、上限閾値Ｖｔ１は、下限閾値Ｖｔ２より大きい値に設定されている。そして、制御回路１３１は、平滑信号Ｓ４と上限閾値Ｖｔ１及び下限閾値Ｖｔ２とを比較する。平滑信号Ｓ４が上限閾値Ｖｔ１より小さく、かつ平滑信号Ｓ４が下限閾値Ｖｔ２より大きい場合、制御回路１３１は、ファン４の回転異常が発生していないと判定する。また、平滑信号Ｓ４が第１所定時間Ｔ１に亘って上限閾値Ｖｔ１以上になった場合、または平滑信号Ｓ４が第２所定時間Ｔ２に亘って下限閾値Ｖｔ２以下になった場合、制御回路１３１は、ファン４の回転異常が発生していると判定する。
【００３６】
なお、第１所定時間Ｔ１と第２所定時間Ｔ２とは互いに同一の時間長さであってもよく、あるいは互いに異なる時間長さであってもよい。
【００３７】
ここで、抵抗１３ｂの抵抗値、及びコンデンサ１３ｃの容量は、回転検出信号Ｓ３の周波数に応じて設定される。すなわち、ローパスフィルタ１３ｄのカットオフ周波数は、回転検出信号Ｓ３の周波数に応じて設定されることが好ましい。例えば、回転検出信号Ｓ３の周波数が高い場合は、回転検出信号Ｓ３の周波数が低い場合に比べて、抵抗１３ｂの抵抗値、及びコンデンサ１３ｃの容量をそれぞれ小さくする。また、回転検出信号Ｓ３の周波数が低い場合は、回転検出信号Ｓ３の周波数が高い場合に比べて、抵抗１３ｂの抵抗値、及びコンデンサ１３ｃの容量をそれぞれ大きくする。この結果、ファン４の回転異常を検知できない検知不能、及びファン４の回転異常を誤って検知する誤検知の発生が抑えられる。
【００３８】
具体的に、上限閾値Ｖｔ１が２．８（Ｖ）、回転検出信号Ｓ３のＨレベルの電圧が５（Ｖ）であると仮定する。さらに、ファン４の回転異常が発生していない場合に、回転検出信号Ｓ３の周波数が１０（Ｈｚ）、回転検出信号Ｓ３のオンデューティが５０（％）であると仮定する。
【００３９】
この場合、抵抗１３ｂの抵抗値が１０（ｋΩ）、コンデンサ１３ｃの容量が１０（μＦ）に設定されると、ファン４の回転異常が発生していなければ、平滑信号Ｓ４は１．８５〜３．１５（Ｖ）の範囲で変動する。すなわち、平滑信号Ｓ４は、１．８５〜３．１５（Ｖ）の範囲で変動する脈流となる。したがって、ファン４の回転異常が発生していない場合でも、平滑信号Ｓ４は上限閾値Ｖｔ１以上になる期間があり、制御回路１３１がファン４の回転異常を検知してしまい、誤検知となる可能性がある。
【００４０】
しかし、抵抗１３ｂの抵抗値が１０（ｋΩ）、コンデンサ１３ｃの容量が１００（μＦ）に設定されると、ファン４の回転異常が発生していなければ、平滑信号Ｓ４は２．３２〜２．４５（Ｖ）の範囲で変動する。すなわち、平滑信号Ｓ４は、２．３２〜２．４５（Ｖ）の範囲で変動する脈流となる。したがって、ファン４の回転異常が発生していない場合、平滑信号Ｓ４は上限閾値Ｖｔ１より小さくなるので、制御回路１３１がファン４の回転異常を検知することはなく、誤検知が抑制される。
【００４１】
また、下限閾値Ｖｔ２に対する検知不能及び誤検知の発生も、回転検出信号Ｓ３の周波数に応じて抵抗１３ｂの抵抗値及びコンデンサ１３ｃの容量を設定することによって、抑制することができる。
【００４２】
上述のように、上限閾値Ｖｔ１及び下限閾値Ｖｔ２に対する検知不能及び誤検知は、回転検出信号Ｓ３の周波数に応じて抵抗１３ｂの抵抗値及びコンデンサ１３ｃの容量を設定することによって、抑制することができる。
【００４３】
また、上限閾値Ｖｔ１及び下限閾値Ｖｔ２に対する感度を高くする場合、抵抗１３ｂの抵抗値及びコンデンサ１３ｃの容量をそれぞれ小さくする。上限閾値Ｖｔ１及び下限閾値Ｖｔ２に対する感度を低くする場合、抵抗１３ｂの抵抗値及びコンデンサ１３ｃの容量をそれぞれ大きくする。
【００４４】
具体的に、上限閾値Ｖｔ１が２．８（Ｖ）、回転検出信号Ｓ３のＨレベルの電圧が５（Ｖ）であると仮定する。さらに、ファン４の回転異常が発生していない場合に、回転検出信号Ｓ３の周波数が１（ｋＨｚ）、回転検出信号Ｓ３のオンデューティが５０（％）であると仮定する。
【００４５】
この場合、抵抗１３ｂの抵抗値が１（ｋΩ）、コンデンサ１３ｃの容量が１０（μＦ）に設定されると、ファン４の回転異常が発生していなければ、平滑信号Ｓ４は２．４４〜２．５６（Ｖ）の範囲で変動する。すなわち、平滑信号Ｓ４は、２．４４〜２．５６（Ｖ）の範囲で変動する脈流となる。しかし、回転検出信号Ｓ３の周波数が２００（Ｈｚ）より低くなると、平滑信号Ｓ４は、上限閾値Ｖｔ１である２．８（Ｖ）以上になり、誤検知が発生する可能性がある。
【００４６】
また、抵抗１３ｂの抵抗値が０．５（ｋΩ）、コンデンサ１３ｃの容量が１０（μＦ）に設定されると、ファン４の回転異常が発生していなければ、平滑信号Ｓ４は２．３７〜２．６３（Ｖ）の範囲で変動する。すなわち、平滑信号Ｓ４は、２．３７〜２．６３（Ｖ）の範囲で変動する脈流となる。しかし、回転検出信号Ｓ３の周波数が４００（Ｈｚ）より低くなると、平滑信号Ｓ４は、上限閾値Ｖｔ１である２．８（Ｖ）以上になり、誤検知が発生する可能性がある。
【００４７】
また、抵抗１３ｂの抵抗値及びコンデンサ１３ｃの容量を予め設計しておくことによって、下限閾値Ｖｔ２に対する感度も所望の感度とすることができる。
【００４８】
上述のように、抵抗１３ｂの抵抗値及びコンデンサ１３ｃの容量を予め設計しておくことによって、上限閾値Ｖｔ１及び下限閾値Ｖｔ２に対する感度を所望の感度とすることができる。
【００４９】
さらに、抵抗１３ｂの抵抗値及びコンデンサ１３ｃの容量は、回転検出信号Ｓ３の周波数に加えて、上限閾値Ｖｔ１及び下限閾値Ｖｔ２の各値にも応じて設計されることが好ましい。
【００５０】
次に、ファン４に回転異常が発生した場合の動作について、図３Ａ−図３Ｄを用いて説明する。
【００５１】
回転検出信号Ｓ３は、ファン４の回転に同期した二値のパルス信号であり、ファン４の回転数が高ければ周波数が高くなり、ファン４の回転数が低ければ周波数が低くなる。そして、平滑信号Ｓ４の電圧は、ファン４の回転数に応じて、すなわち回転検出信号Ｓ３の周波数に応じて変化する。ここでは、回転検出信号Ｓ３の周波数が高い場合、平滑信号Ｓ４の電圧が低くなり、回転検出信号Ｓ３の周波数が低い場合、平滑信号Ｓ４の電圧が高くなるように、抵抗１３ｂの抵抗値及びコンデンサ１３ｃの容量が設定されている。
【００５２】
図３Ａでは、ファン４の経年変化またはファン４の故障によって、ファン４の回転数が通常時の回転数から徐々に低下し、この結果として、回転検出信号Ｓ３の周波数が徐々に低下している。
【００５３】
そして、制御回路１３１は、ファン４の回転数が低下して、平滑信号Ｓ４の電圧が上限閾値Ｖｔ１以上になっている継続時間Ｔａを計時する。制御回路１３１は、平滑信号Ｓ４の電圧が上限閾値Ｖｔ１以上になった時点から抵抗を介してコンデンサを充電するＣＲ積分回路によって、この継続時間Ｔａの計時処理を行う。また、制御回路１３１は、ファン４の回転数が低下して、平滑信号Ｓ４の電圧が下限閾値Ｖｔ２以下になっている継続時間Ｔｂを計時する。制御回路１３１は、平滑信号Ｓ４の電圧が下限閾値Ｖｔ２以下になった時点から抵抗を介してコンデンサを充電するＣＲ積分回路によって、この継続時間Ｔｂの計時処理を行う。制御回路１３１は、継続時間Ｔａが第１所定時間Ｔ１以上になった場合、ファン４の回転異常が発生していると判定する。また、制御回路１３１は、継続時間Ｔｂが第２所定時間Ｔ２以上になった場合、ファン４の回転異常が発生していると判定する。なお、以降の説明において、継続時間Ｔａを区別する場合、継続時間Ｔａｎ（ｎは正の整数）と表記する。また、継続時間Ｔｂを区別する場合、継続時間Ｔｂｍ（ｍは正の整数）と表記する。
【００５４】
図３Ｂでは、平滑信号Ｓ４の電圧が脈動しながら徐々に大きくなっており、制御回路１３１は、継続時間Ｔａ１を計時し、次に継続時間Ｔｂ１を計時し、次に継続時間Ｔａ３を計時している。継続時間Ｔａ１は第１所定時間Ｔ１より短く、継続時間Ｔｂ１は第２所定時間Ｔ２より短いので、制御回路１３１は、ファン４の回転異常が発生していないと判定する（タイミングｔ１，ｔ２）。そして、制御回路１３１は、継続時間Ｔａ２が第１所定時間Ｔ１以上であるので、ファン４の回転異常が発生していると判定する（タイミングｔ３）。
【００５５】
制御回路１３１は、ファン４の回転異常を検知していなければ、通常時の電流目標値としてＩｏ１を、第１制御信号Ｓ１によって第１電源回路１１へ通知する。第１電源回路１１は、図３Ｃに示すように、負荷電流Ｉｏを電流目標値Ｉｏ１に調整することで、照明負荷２を通常点灯させる。
【００５６】
また、制御回路１３１は、ファン４の回転異常を検知していなければ、通常時の電圧目標値としてＶｏ１を、第２制御信号Ｓ２によって第２電源回路１２へ通知する。第２電源回路１２は、図３Ｄに示すように、駆動電圧Ｖｏを電圧目標値Ｖｏ１に調整することで、ファン４を通常の回転数で回転させる。
【００５７】
制御回路１３１は、ファン４の回転異常を検知すると、異常時の電流目標値として０（ゼロ）を、第１制御信号Ｓ１によって第１電源回路１１へ通知する。第１電源回路１１は、図３Ｃに示すように、負荷電流Ｉｏを電流目標値０に調整することで、第１電力の出力を停止する。
【００５８】
また、制御回路１３１は、ファン４の回転異常を検知すると、異常時の電圧目標値として０（ゼロ）を、第２制御信号Ｓ２によって第２電源回路１２へ通知する。第２電源回路１２は、図３Ｄに示すように、駆動電圧Ｖｏを電圧目標値０に調整することで、第２電力の出力を停止する。
【００５９】
したがって、ファン４の回転異常が発生した場合、第１電源回路１１及び第２電源回路１２の各出力は停止し、照明負荷２は消灯し、ファン４は停止する。制御回路１３１は、ファン４を停止させることで、ファン４の劣化または不具合の進行を遅らせることができる。また、制御回路１３１は、第１電源回路１１及び第２電源回路１２の各出力を停止させることで、電源回路の発熱量を減少させる。また、制御回路１３１は、照明負荷２を消灯させることで、照明負荷２の発熱量を減少させる。
【００６０】
また、ファン４の回転異常が発生した場合、第１電源回路１１及び第２電源回路１２の各出力を通常時より低減させて、照明負荷２を調光点灯させ、ファン４の回転数を低くしてもよい。
【００６１】
上述のように、点灯装置１は、平滑回路１３２を備えており、平滑信号Ｓ４の電圧によって、ファン４の回転異常が発生しているか否かを判定できる。
【００６２】
例えば、ＭＰＵによって制御回路１３１が構成されている場合、ＭＰＵは、回転検出信号Ｓ３のパルス幅を検出するために、クロック信号を用いたタイマ機能を備える必要がない。ＭＰＵは、平滑信号Ｓ４の電圧（アナログ値）をデジタル値に変換するＡＤコンバータの機能、及び継続時間Ｔａ，Ｔｂを計時するＣＲ積分回路の機能があればよい。さらに、平滑信号Ｓ４の電圧と上限閾値Ｖｔ１及び下限閾値Ｖｔ２との比較には、ＭＰＵが具備しているアナログポートに接続されたコンパレータなどを用いれば、安価なＭＰＵで制御回路１３１を構成でき、ＭＰＵの選択肢が広がる。
【００６３】
また、点灯制御用ＩＣによって制御回路１３１が構成されている場合、制御回路１３１には、回転検出信号Ｓ３のパルス幅を検出できる特殊な点灯制御用ＩＣではなく、汎用の点灯制御用ＩＣを用いることができる。この場合、汎用の点灯制御用ＩＣは、アナログポートに回転検出信号Ｓ３が入力されることで、ファン４の回転異常を検知できる。この結果、点灯制御用ＩＣの選択肢が広がるので、さまざまな点灯装置の設計に対応することが可能となる。
【００６４】
さらに、平滑信号Ｓ４が第１所定時間Ｔ１に亘って上限閾値Ｖｔ１以上になった場合、または平滑信号Ｓ４が第２所定時間Ｔ２に亘って下限閾値Ｖｔ２以下になった場合、制御回路１３１は、ファン４の回転異常を検知する。したがって、制御回路１３１は、回転検出信号Ｓ３及び平滑信号Ｓ４の瞬時的な変動によってファン４の回転異常を誤検知することを抑制することができる。
【００６５】
一方、上述の特許文献１のような従来技術では、平滑回路を備えていないので、ファンの回転数と同期したパルス信号により異常の検出を行うために、制御回路は、パルス幅を検出するための機能を備える必要がある。例えば、ＭＰＵによって制御回路が構成される場合、ＭＰＵは、パルス幅を検出するためにタイマ機能を備える必要がある。しかし、安価なＭＰＵは、通常、パルス幅を検出するためのタイマ機能を備えていない。また、ファンの回転数と同期したパルス幅をタイマ機能によって検出するためには、回転数より十分に早いクロック速度が求められるので、点灯装置は、より高価なＭＰＵを備える必要がある。
【００６６】
また、上述の特許文献１のような従来技術では、光源の点灯制御を行う点灯制御用ＩＣによって制御回路が構成される場合、点灯制御用ＩＣは、パルス検出機能を有する必要がある。しかし、パルス検出機能を有する点灯制御用ＩＣは少なく、さまざまな点灯装置の設計に対応することが困難である。
【００６７】
さらに、本実施形態では、回転検出信号Ｓ３の信号形態（周波数、電圧、パルス幅など）に応じて平滑回路１３２の構成を設定することにより、様々な回転検出信号Ｓ３の信号形態に対応することができる。
【００６８】
例えば、回転検出信号Ｓ３が、ファン４の正常時にＨレベルとなり、ファン４の回転異常時にＬレベルとなる場合、抵抗１３ｂの抵抗値及びコンデンサ１３ｃの容量を非常に小さくすることができる。例えば、抵抗１３ｂの抵抗値を０（Ω）、コンデンサ１３ｃの容量を０（μＦ）に設定してもよい。
【００６９】
また、制御回路１３１は、継続時間Ｔａが第１所定時間Ｔ１以上になる毎に、カウンタ値をインクリメントし、カウンタ値が２以上の所定数に達したら、ファン４の回転異常が発生していると判定してもよい。さらに、制御回路１３１は、継続時間Ｔｂが第２所定時間Ｔ２以上になる毎に、カウンタ値をインクリメントし、カウンタ値が２以上の所定数に達したら、ファン４の回転異常が発生していると判定してもよい。すなわち、制御回路１３１は、継続時間Ｔａが第１所定時間Ｔ１以上になるイベントの発生が２以上の所定回数に達した場合に、ファン４の回転異常を検知する。また、制御回路１３１は、継続時間Ｔｂが第２所定時間Ｔ２以上になるイベントの発生が２以上の所定回数に達した場合に、ファン４の回転異常を検知する。
【００７０】
また、制御回路１３１は、継続時間Ｔａが第１所定時間Ｔ１以上になるイベント、または継続時間Ｔｂが第２所定時間Ｔ２以上になるイベントの発生回数が少なく、所定回数未満であれば、ファン４の回転異常が発生していないと判定する。したがって、制御回路１３１は、ファン４の回転異常の誤検知を抑制できる。
【００７１】
また、ファン４は、始動時に第２電源回路１２から第２電力を供給されることで、回転駆動を開始する。そして、この始動時において、平滑回路１３２では、図４に示すように、抵抗１３ｂ及びコンデンサ１３ｃを有するローパスフィルタ１３ｄの時定数によって、始動時の平滑信号Ｓ４の電圧が０（Ｖ）から徐々に増大する。したがって、始動時の平滑信号Ｓ４には、ローパスフィルタ１３ｄの時定数によって平滑信号Ｓ４の電圧が上昇する過渡期間が生じる。例えば、抵抗１３ｂの抵抗値が１０（ｋΩ）、コンデンサ１３ｃの容量が１００（μＦ）に設定されると、平滑信号Ｓ４は、最大値の９５％に達するまでに約３秒の時間がかかる。制御回路１３１は、過渡期間において、ファン４の回転異常を誤検知する可能性が高くなる。そこで、制御回路１３１は、始動時から所定時間が経過するまでを検知待ち期間Ｗ１とし、検知待ち期間Ｗ１では、ファン４の回転異常による第１電力の出力停止、及び第２電力の出力停止を実行させない。検知待ち期間Ｗ１は、始動してから平滑信号Ｓ４が下限閾値Ｖｔ２に達するまでに要する時間よりも長く設定される。
【００７２】
具体的に、制御回路１３１は、始動後から検知待ち期間Ｗ１の計時を開始し、検知待ち期間Ｗ１内であれば、ファン４の回転異常の検知処理を実行しない、またはファン４の回転異常を検知したとしても、電流目標値及び電圧目標値を通常時の値から変更しない。
【００７３】
また、ファン４の回転数は、始動してから徐々に上昇する。そこで、制御回路１３１は、始動後のファン４の低い回転数を異常と誤検知しないための待ち時間としても、検知待ち期間Ｗ１を用いることができる。
【００７４】
したがって、制御回路１３１は、始動後の過渡期間において、ファン４の回転異常の誤検知を抑制できる。
【００７５】
また、第１所定時間Ｔ１及び第２所定時間Ｔ２は、ローパスフィルタ１３ｄの時定数と、上限閾値Ｖｔ１及び下限閾値Ｖｔ２とに応じて設定されることが好ましい。すなわち、平滑信号Ｓ４の波形と、上限閾値Ｖｔ１及び下限閾値Ｖｔ２の大きさとに基づいて、誤検知を抑制することができる第１所定時間Ｔ１及び第２所定時間Ｔ２が設定されている。
【００７６】
（実施形態２）
以下、実施形態２の点灯装置１について説明する。実施形態２の点灯装置１は、実施形態１の平滑回路１３２の代わりに、図５に示す平滑回路１３２Ａを備える。なお、実施形態２の他の構成は、実施形態１と同様であり、実施形態１と同様の構成には同一の符号を付す。
【００７７】
平滑回路１３２Ａは、プルアップ用の抵抗１３ａ、オペアンプ１３ｅ、抵抗１３ｆ，１３ｇ、コンデンサ１３ｈを備える。抵抗１３ａの一端は、出力調整回路１３の制御電圧Ｖｃに電気的に接続されており、抵抗１３ａの他端は、抵抗１３ｆの一端に電気的に接続されている。抵抗１３ｆの他端は、オペアンプ１３ｅの反転入力端子に電気的に接続されている。抵抗１３ｇ及びコンデンサ１３ｈは、オペアンプ１３ｅの反転入力端子と出力端子との間に電気的に接続されている。オペアンプ１３ｅの非反転入力端子は、平滑回路１３２Ａの制御グランドに電気的に接続されている。
【００７８】
そして、オペアンプ１３ｅと、抵抗１３ｆ，１３ｇと、コンデンサ１３ｈとは、ローパスフィルタ１３ｉを構成しており、回転検出信号Ｓ３は、このローパスフィルタ１３ｉによって平滑される。平滑回路１３２Ａは、オペアンプ１３ｅの出力端子の電圧を、平滑信号Ｓ４として出力する。ローパスフィルタ１３ｉでは、オペアンプ１３ｅを反転増幅器として用いているので、平滑信号Ｓ４は０以下の値になる。
【００７９】
ここで、抵抗１３ｇの抵抗値、及びコンデンサ１３ｈの容量は、回転検出信号Ｓ３の周波数に応じて設定される。すなわち、ローパスフィルタ１３ｉのカットオフ周波数は、回転検出信号Ｓ３の周波数に応じて設定されることが好ましい。例えば、回転検出信号Ｓ３の周波数が高い場合は、回転検出信号Ｓ３の周波数が低い場合に比べて、抵抗１３ｇの抵抗値、及びコンデンサ１３ｈの容量をそれぞれ小さくする。また、回転検出信号Ｓ３の周波数が低い場合は、回転検出信号Ｓ３の周波数が高い場合に比べて、抵抗１３ｇの抵抗値、及びコンデンサ１３ｈの容量をそれぞれ大きくする。この結果、ファン４の回転異常を検知できない検知不能、及びファン４の回転異常を誤って検知する誤検知の発生が抑えられる。
【００８０】
また、閾値に対する感度を高くする場合、抵抗１３ｇの抵抗値、及びコンデンサ１３ｈの容量をそれぞれ小さくする。閾値に対する感度を低くする場合、抵抗１３ｇの抵抗値、及びコンデンサ１３ｈの容量をそれぞれ大きくする。
【００８１】
さらに、ローパスフィルタ１３ｉは、［抵抗１３ｇの抵抗値／抵抗１３ｆの抵抗値］を利得とする増幅機能を有している。したがって、ローパスフィルタ１３ｉの利得を適宜設定することで、平滑信号Ｓ４の電圧を所望の値に調節できる。
【００８２】
なお、図５のローパスフィルタ１３ｉでは、オペアンプ１３ｅを反転増幅器として用いているが、オペアンプ１３ｅを非反転増幅器として用いてもよい。
【００８３】
次に、ファン４に回転異常が発生した場合の動作について、図６Ａ−図６Ｃを用いて説明する。
【００８４】
制御回路１３１は、図６Ｂに示すように、平滑信号Ｓ４と比較するための上限閾値Ｖｔ１１及び下限閾値Ｖｔ１２が予め設定されている。上限閾値Ｖｔ１１及び下限閾値Ｖｔ１２は負値であり、上限閾値Ｖｔ１１は、下限閾値Ｖｔ１２より大きい値に設定されている（上限閾値Ｖｔ１１の絶対値は、下限閾値Ｖｔ２の絶対値より小さい）。そして、制御回路１３１は、平滑信号Ｓ４と上限閾値Ｖｔ１１及び下限閾値Ｖｔ１２とを比較する。平滑信号Ｓ４が上限閾値Ｖｔ１１より小さく、かつ平滑信号Ｓ４が下限閾値Ｖｔ１２より大きい場合、制御回路１３１は、ファン４の回転異常が発生していないと判定する。また、平滑信号Ｓ４が第１所定時間Ｔ１に亘って上限閾値Ｖｔ１１以上になった場合、または平滑信号Ｓ４が第２所定時間Ｔ２に亘って下限閾値Ｖｔ１２以下になった場合、制御回路１３１は、ファン４の回転異常が発生していると判定する。
【００８５】
実施形態２では、図６Ａに示すように、ファン４が正常である場合、回転検出信号Ｓ３は、周波数、デューティ、及び電圧が予め決められたパルス信号になる。このとき、図６Ｂに示すように、平滑信号Ｓ４は、上限閾値Ｖｔ１１より小さくかつ下限閾値Ｖｔ１２より大きい範囲に収まっている。したがって、制御回路１３１は、ファン４の回転異常を検知しない。
【００８６】
制御回路１３１は、ファン４の回転異常を検知していなければ、通常時の電流目標値としてＩｏ１を、第１制御信号Ｓ１によって第１電源回路１１へ通知する。第１電源回路１１は、図６Ｃに示すように、負荷電流Ｉｏを電流目標値Ｉｏ１に調整することで、照明負荷２を通常点灯させる。
【００８７】
そして、ファン４の回転異常が発生すると（タイミングｔ１１）、回転検出信号Ｓ３はＨレベル一定になる。この結果、平滑信号Ｓ４は減少する（平滑信号Ｓ４の絶対値は増大する）。そして、制御回路１３１は、平滑信号Ｓ４の電圧が下限閾値Ｖｔ１２以下になってから（タイミングｔ１２）、第２所定時間Ｔ２が経過すると、ファン４の回転異常を検知する（タイミングｔ１３）。
【００８８】
制御回路１３１は、ファン４の回転異常を検知すると、異常時の電流目標値としてＩｏ２を、第１制御信号Ｓ１によって第１電源回路１１へ通知する。異常時の電流目標値Ｉｏ２は、通常時の電流目標値Ｉｏ１よりも小さく、異常時の第１電力は通常時の第１電力より小さくなる。そして、第１電源回路１１は、負荷電流Ｉｏを電流目標値Ｉｏ２に調整することで、第１電力を減少させる。
【００８９】
したがって、ファン４の回転異常が発生した場合、第１電源回路１１の出力は減少し、照明負荷２は調光点灯する。制御回路１３１は、第１電源回路１１の出力を減少させることで、電源回路の発熱量を減少させる。また、制御回路１３１は、照明負荷２を調光点灯させることで、照明負荷２の発熱量を減少させる。
【００９０】
実施形態２では、ファン４の回転異常時に照明負荷２を調光点灯させるので、ファン４の回転異常時であっても照明負荷２による光の照射は継続されており、ユーザの利便性及び安全性は確保される。
【００９１】
また、実施形態２では、制御回路１３１は、ファン４の回転異常の検知時及び非検知時の両方において、通常時の電圧目標値としてＶｏ１を、第２制御信号Ｓ２によって第２電源回路１２へ通知する。第２電源回路１２は、駆動電圧Ｖｏを電圧目標値Ｖｏ１に調整することで、ファン４を通常の回転数で回転させる。
【００９２】
なお、実施形態２においても、ファン４の回転異常が発生した場合、第１電源回路１１の出力を停止させて、照明負荷２を消灯させてもよい。
【００９３】
また、実施形態２においても、ファン４の回転異常が発生した場合、第２電源回路１２の出力を停止、または通常時より低減させて、ファン４を停止、またはファン４の回転数を通常時より低くしてもよい。
【００９４】
（実施形態３）
以下、実施形態３の点灯装置１について説明する。実施形態３の点灯装置１は、実施形態１の平滑回路１３２の代わりに、図７に示す平滑回路１３２Ｂを備える。なお、実施形態３の他の構成は、実施形態１と同様であり、実施形態１と同様の構成には同一の符号を付す。
【００９５】
実施形態３では、図８Ａに示すように、ファン４が正常である場合、回転検出信号Ｓ３は、Ｈレベル一定になる。このとき、ファン４の回転異常が発生していないと制御回路１３１が判定するためには、図８Ｂに示すように、平滑信号Ｓ４が、上限閾値Ｖｔ１より小さくかつ下限閾値Ｖｔ２より大きい範囲に収まっていなければならない。
【００９６】
そこで、平滑回路１３２Ｂは、プルアップ用の抵抗１３ａ、平滑用の抵抗１３ｂ、平滑用のコンデンサ１３ｃに加えて、抵抗１３ｊをさらに備える。抵抗１３ｊは、コンデンサ１３ｃに並列接続されている。
【００９７】
そして、回転検出信号Ｓ３がＨレベルである場合、制御電圧Ｖｃは抵抗１３ａ，１３ｂ，１３ｊで分圧され、平滑信号Ｓ４の電圧は抵抗１３ｊの両端電圧になる。そこで、実施形態３の点灯装置１は、ファン４が正常であって、回転検出信号Ｓ３がＨレベルである場合、抵抗１３ｊの両端電圧が上限閾値Ｖｔ１より小さくかつ下限閾値Ｖｔ２より大きい範囲に収まるように、抵抗１３ａ，１３ｂ，１３ｊによる分圧比を設定する。
【００９８】
この構成は、上限閾値Ｖｔ１及び下限閾値Ｖｔ２がそれぞれ固定値である点灯制御用ＩＣで制御回路１３１が構成されている場合に有効である。また、ファン４の正常時において、抵抗１３ｊの両端電圧が上限閾値Ｖｔ１及び下限閾値Ｖｔ２のいずれか一方に対して近づくように、抵抗１３ａ，１３ｂ，１３ｊによる分圧比を意図的に設定してもよい。この場合、上限閾値Ｖｔ１及び下限閾値Ｖｔ２のいずれか一方に対する感度が高く、他方に対する感度が低くなる。
【００９９】
次に、ファン４に回転異常が発生した場合の動作について、図８Ａ−図８Ｃを用いて説明する。
【０１００】
制御回路１３１は、図８Ｂに示すように、平滑信号Ｓ４と比較するための上限閾値Ｖｔ１及び下限閾値Ｖｔ２が予め設定されている。そして、制御回路１３１は、平滑信号Ｓ４と上限閾値Ｖｔ１及び下限閾値Ｖｔ２とを比較する。平滑信号Ｓ４が上限閾値Ｖｔ１より小さく、かつ平滑信号Ｓ４が下限閾値Ｖｔ２より大きい場合、制御回路１３１は、ファン４の回転異常が発生していないと判定する。また、平滑信号Ｓ４が第１所定時間Ｔ１に亘って上限閾値Ｖｔ１以上になった場合、または平滑信号Ｓ４が第２所定時間Ｔ２に亘って下限閾値Ｖｔ２以下になった場合、制御回路１３１は、ファン４の回転異常が発生していると判定する。
【０１０１】
実施形態３では、図８Ａに示すように、ファン４が正常である場合、回転検出信号Ｓ３は、Ｈレベル一定になる。このとき、図８Ｂに示すように、平滑信号Ｓ４は、上限閾値Ｖｔ１より小さくかつ下限閾値Ｖｔ２より大きい範囲に収まっている。したがって、制御回路１３１は、ファン４の回転異常が発生していないと判定する。
【０１０２】
制御回路１３１は、ファン４の回転異常を検知していなければ、図８Ｃに示すように、通常時の電圧目標値としてＶｏ１を、第２制御信号Ｓ２によって第２電源回路１２へ通知する。第２電源回路１２は、駆動電圧Ｖｏを電圧目標値Ｖｏ１に調整することで、ファン４を通常の回転数で回転させる。
【０１０３】
そして、ファン４の回転異常が発生して、ファン４の回転数が低下すると（タイミングｔ２１）、回転検出信号Ｓ３はＬレベル一定になる。この結果、平滑信号Ｓ４は減少する。そして、制御回路１３１は、平滑信号Ｓ４の電圧が下限閾値Ｖｔ２以下になってから（タイミングｔ２２）、第２所定時間Ｔ２が経過すると、ファン４の回転異常が発生していると判定する（タイミングｔ２３）。
【０１０４】
制御回路１３１は、ファン４の回転異常を検知すると、異常時の電圧目標値としてＶｏ２を、第２制御信号Ｓ２によって第２電源回路１２へ通知する。異常時の電圧目標値Ｖｏ２は、通常時の電圧目標値Ｖｏ１よりも大きく、異常時の第２電力は通常時の第２電力より大きくなる。そして、第２電源回路１２は、駆動電圧Ｖｏを電圧目標値Ｖｏ２に調整することで、第２電力を増大させる。したがって、ファン４の回転異常が発生した場合、第２電源回路１２の出力は増大し、ファン４の回転数は上昇する方向に制御される。
【０１０５】
ここで、ファン４に異常が発生して回転数が低下すると、第１電源回路１１及び照明負荷２の温度が上昇することが想定される。そこで、実施形態３では、駆動電圧Ｖｏを増大させることによって、ファン４の回転数を上昇させて、第１電源回路１１及び照明負荷２の保護を図る。
【０１０６】
そして、制御回路１３１は、ファン４の回転異常の検知時及び非検知時の両方において、通常時の電流目標値としてＩｏ１を、第１制御信号Ｓ１によって第１電源回路１１へ通知する。第１電源回路１１は、負荷電流Ｉｏを電流目標値Ｉｏ１に調整することで、照明負荷２を通常点灯させる。
【０１０７】
したがって、実施形態３では、ファン４の回転異常時であっても、第１電源回路１１及び照明負荷２の保護を図りながら、照明負荷２の通常点灯を継続させるので、ユーザの利便性及び安全性は確保される。
【０１０８】
図９は、実施形態３の変形例の平滑回路１３２Ｃの構成を示す。
【０１０９】
回転検出信号Ｓ３が二値のパルス信号である場合、回転検出信号Ｓ３がＨレベルである期間が短いと、平滑信号Ｓ４の電圧が比較的低くなる。この結果、ファン４が正常であっても、平滑信号Ｓ４が、上限閾値Ｖｔ１より小さくかつ下限閾値Ｖｔ２より大きい範囲に収まりにくくなる可能性がある。
【０１１０】
そこで、平滑回路１３２Ｃは、以下の構成を備える。
【０１１１】
平滑回路１３２Ｃは、プルアップ用の抵抗１３ａ、平滑用の抵抗１３ｂ、平滑用のコンデンサ１３ｃに加えて、抵抗１３ｋをさらに備える。抵抗１３ｋの一端は、制御電圧Ｖｃに電気的に接続されている。抵抗１３ｋの他端は、抵抗１３ｂとコンデンサ１３ｃとの接続点に電気的に接続されている。
【０１１２】
そして、回転検出信号Ｓ３がＬレベルである場合、制御電圧Ｖｃは抵抗１３ｋ，１３ｂで分圧されて、コンデンサ１３ｃの両端に印加され、平滑信号Ｓ４の電圧はコンデンサ１３ｃの両端電圧になる。すなわち、回転検出信号Ｓ３がＬレベルである場合に、平滑信号Ｓ４の電圧は、制御電圧Ｖｃを抵抗分圧した電圧によって高い値に維持される。この結果、回転検出信号Ｓ３がＨレベルである期間が短い場合でも、平滑信号Ｓ４の電圧を比較的高い値に維持できる。したがって、ファン４が正常である場合、平滑信号Ｓ４は、上限閾値Ｖｔ１より小さくかつ下限閾値Ｖｔ２より大きい範囲に収まりやすくなる。
【０１１３】
上記各実施形態で示した点灯装置１は、例えば車両用の前照灯装置（ヘッドランプ）などの灯具に用いられる。図１０は、前照灯装置１００の構成を示す。
【０１１４】
前照灯装置１００は、照明負荷２のＬＥＤ２１を搭載した放熱体５１，５２と、照明負荷２の光出力の配光を制御する反射板６１，６２とを灯具本体７に収納し、点灯装置１を灯具本体７の下面に設置して構成されている。点灯装置１は、直流電源３としての車載バッテリから電源供給されて動作する。さらに、ファン４が、照明負荷２に向かって送風するように、灯具本体７の内部に配置されている。
【０１１５】
また、前照灯装置１００は、放熱体５１に搭載されたＬＥＤ２１がすれ違い用前照灯（ロービーム）として機能し、放熱体５２に搭載されたＬＥＤ２１が走行用前照灯（ハイビーム）として機能してもよい。
【０１１６】
図１１は、上述した前照灯装置１００を左右で一対搭載した車両２００の外観斜視図である。一対の前照灯装置１００は、車両２００の車体２０１の前方に搭載されている。なお、点灯装置１を用いた灯具は前照灯装置１００に限らず、車両２００の尾灯などであってもいいし、それ以外の灯具でもよい。
【０１１７】
なお、照明負荷２が備える光源は、ＬＥＤ２１に限らず、有機ＥＬ（Organic Electro Luminescence、OEL）、または半導体レーザ（Laser Diode、LD）などの他の固体発光素子を光源として備えてもよい。
【０１１８】
また、上述の各実施形態では、抵抗の抵抗値、コンデンサの容量、閾値の電圧値、電流波形、電圧波形、信号波形などを具体的に例示しているが、具体的に例示した各値及び各波形には限定されない。
【０１１９】
以上のように、実施形態に係る第１の態様の点灯装置１は、第１電源回路１１と、第２電源回路１２と、出力調整回路１３とを備える。第１電源回路１１は、照明負荷２へ第１電力を出力することで照明負荷２を点灯させる。第２電源回路１２は、第１電源回路１１と照明負荷２との少なくとも一方を冷却するファン４を回転駆動するための第２電力をファン４へ出力する。出力調整回路１３は、第１電源回路１１及び第２電源回路１２を制御して、第１電力及び第２電力を調整する。出力調整回路１３は、平滑回路１３２と、制御回路１３１とを備える。平滑回路１３２は、ファン４の回転状態に応じた二値の回転検出信号Ｓ３を入力されて、回転検出信号Ｓ３を平滑した平滑信号Ｓ４を生成する。制御回路１３１は、平滑信号Ｓ４に基づいて４ファンの回転異常が発生しているか否かを判定し、回転異常の発生を検知した場合に、第１電力及び第２電力の少なくとも一方を変化させる。そして、制御回路１３１は、平滑信号Ｓ４が第１所定時間Ｔ１に亘って上限閾値Ｖｔ１（またはＶｔ１１）以上になった場合、または平滑信号Ｓ４が第２所定時間Ｔ２に亘って下限閾値Ｖｔ２（またはＶｔ１２）以下になった場合に、回転異常の発生を検知する。また、上限閾値Ｖｔ１（またはＶｔ１１）は、下限閾値Ｖｔ２（またはＶｔ１２）より大きい。
【０１２０】
したがって、点灯装置１は、平滑回路１３２を備えることによって、平滑信号Ｓ４の電圧によって、ファン４の回転異常を検知することができる。また、平滑信号Ｓ４が第１所定時間Ｔ１に亘って上限閾値Ｖｔ１以上になった場合、または平滑信号Ｓ４が第２所定時間Ｔ２に亘って下限閾値Ｖｔ２以下になった場合、制御回路１３１は、ファン４の回転異常を検知する。この結果、点灯装置１は、制御回路１３１がパルス検知機能を有していなくても、二値の回転検出信号Ｓ３によってファン４の異常を検知でき、さらに誤検知を抑制することができる。
【０１２１】
また、実施形態に係る第２の態様の点灯装置１では、第１の態様において、制御回路１３１は、平滑信号Ｓ４が第１所定時間Ｔ１に亘って上限閾値Ｖｔ１（またはＶｔ１１）以上になった回数が、所定回数以上になった場合に、回転異常を検知することが好ましい。または、制御回路１３１は、平滑信号Ｓ４が第２所定時間Ｔ２に亘って下限閾値Ｖｔ２（またはＶｔ１２）以下になった回数が、所定回数以上になった場合に、回転異常を検知することが好ましい。
【０１２２】
この結果、第２の態様の点灯装置１は、ファン４の回転異常の誤検知を抑制できる。
【０１２３】
また、実施形態に係る第３の態様の点灯装置１では、第１または第２の態様において、制御回路１３１は、回転異常を検知した場合に、第１電力及び第２電力の少なくとも一方の出力を停止させることが好ましい。
【０１２４】
この結果、第３の態様の点灯装置１は、ファン４の回転異常が発生した場合に、第１電力を停止させれば、第１電源回路１１及び照明負荷２の各発熱量を減少させることができる。したがって、点灯装置１は、第１電源回路１１及び照明負荷２の発熱による不具合を抑制できる。また、点灯装置１は、ファン４の回転異常が発生した場合に、第２電力を停止させれば、ファン４を停止させて、ファン４の劣化または不具合の進行を遅らせることができる。
【０１２５】
また、実施形態に係る第４の態様の点灯装置１では、第１乃至第３の態様のいずれかにおいて、制御回路１３１は、回転異常を検知すると、ファン４の回転駆動が開始されてから検知待ち期間Ｗ１（所定期間）が経過した後でのみ第１電力及び第２電力を変化させることが好ましい。
【０１２６】
この結果、第４の態様の点灯装置１は、始動後の過渡期間において、ファン４の回転異常の誤検知を抑制できる。
【０１２７】
また、実施形態に係る第５の態様の点灯装置１では、第１乃至第４の態様のいずれかにおいて、第１所定時間Ｔ１及び第２所定時間Ｔ２は、平滑回路１３２の時定数と、上限閾値Ｖｔ１（またはＶｔ１１）及び下限閾値Ｖｔ２（またはＶｔ１２）とに応じた値に設定されていることが好ましい。
【０１２８】
この結果、第５の態様の点灯装置１は、ファン４の回転異常の誤検知を抑制できる。
【０１２９】
また、実施形態に係る第６の態様の点灯装置１では、第１乃至第５の態様のいずれかにおいて、平滑回路１３２は、抵抗１３ｂ及びコンデンサ１３ｃを有するローパスフィルタ１３ｄであることが好ましい。
【０１３０】
この結果、第６の態様の点灯装置１は、平滑回路１３２を簡易な構成で実現できる。
【０１３１】
また、実施形態に係る第７の態様の点灯装置１では、第１乃至第５の態様のいずれかにおいて、平滑回路１３２は、オペアンプ１３ｅ、抵抗１３ｆ，１３ｇ、及びコンデンサ１３ｈを有するローパスフィルタ１３ｉであることが好ましい。
【０１３２】
この結果、第７の態様の点灯装置１は、ローパスフィルタ１３ｉの利得を適宜設定することで、平滑信号Ｓ４の電圧を所望の値に調節できる。
【０１３３】
また、実施形態に係る第８の態様の点灯装置１では、第６または第７の態様において、ローパスフィルタ１３ｄまたは１３ｉのカットオフ周波数は、回転検出信号Ｓ３の周波数に応じて設定されていることが好ましい。
【０１３４】
この結果、第８の態様の点灯装置１は、ファン４の回転異常を検知できない検知不能、及びファン４の回転異常を誤って検知する誤検知の発生を抑えることができる。
【０１３５】
また、実施形態に係る第９の態様の点灯装置１では、第１乃至第８の態様のいずれかにおいて、回転検出信号Ｓ３は、ファン４の回転に同期したパルス信号であることが好ましい。
【０１３６】
この結果、第９の態様の点灯装置１は、回転検出信号Ｓ３がファン４の回転に同期したパルス信号である場合に、制御回路１３１がパルス検知機能を有していなくても、この回転検出信号Ｓ３によってファン４の異常を検知できる。
【０１３７】
また、実施形態に係る第１０の態様の点灯装置１では、第１乃至第８の態様のいずれかにおいて、回転検出信号Ｓ３は、回転異常が発生していない場合に、前記二値のうち一方の値になる。また、回転検出信号Ｓ３は、回転異常が発生している場合に、前記二値のうち他方の値になる。
【０１３８】
この結果、第１０の態様の点灯装置１は、回転検出信号Ｓ３がファン４の回転異常の有無を示す二値の信号である場合でも、この回転検出信号Ｓ３によってファン４の異常を検知できる。
【０１３９】
また、実施形態に係る第１１の態様の点灯装置１では、第１乃至第１０の態様のいずれかにおいて、照明負荷２は、複数のＬＥＤ２１（固定発光素子）を備えていることが好ましい。そして、制御回路１３１は、第１電力を変化させる場合、複数のＬＥＤ２１へ供給する負荷電流Ｉｏを変化させ、第２電力を変化させる場合、ファン４へ出力する駆動電圧Ｖｏを変化させる。
【０１４０】
この結果、第１１の態様の点灯装置１は、ＬＥＤ２１のような固定発光素子を点灯、調光、消灯させることができ、ファン４の回転数を調整することができる。
【０１４１】
また、実施形態に係る第１２の態様の前照灯装置１００は、上述の第１乃至第１１の様のいずれか一つの点灯装置１と、回転検出信号Ｓ３を出力するファン４と、点灯装置１及びファン４が取り付けられる灯具本体７とを備える。
【０１４２】
したがって、前照灯装置１００は、点灯装置１を備える。この結果、前照灯装置１００は、制御回路１３１がパルス検知機能を有していなくても、二値の回転検出信号Ｓ３によってファン４の異常を検知でき、さらに誤検知を抑制することができる。
【０１４３】
また、実施形態に係る第１３の態様の車両２００は、上述の第１２の態様の前照灯装置１００と、前照灯装置１００を搭載した車体２０１とを備える。
【０１４４】
したがって、車両２００は、前照灯装置１００を備える。この結果、車両２００は、制御回路１３１がパルス検知機能を有していなくても、二値の回転検出信号Ｓ３によってファン４の異常を検知でき、さらに誤検知を抑制することができる。
【０１４５】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１４６】
１  点灯装置
１１  第１電源回路
１２  第２電源回路
１３  出力調整回路
１３１  制御回路
１３２  平滑回路
１３ｂ，１３ｆ，１３ｇ  抵抗
１３ｃ，１３ｈ  コンデンサ
１３ｄ，１３ｉ  ローパスフィルタ
１３ｅ  オペアンプ
２  照明負荷
２１  ＬＥＤ
３  直流電源
４  ファン
７  灯具本体
１００  前照灯装置
２００  車両
２０１  車体
Ｓ３  回転検出信号
Ｓ４  平滑信号
Ｔ１  第１所定時間
Ｔ２  第２所定時間
Ｉｏ  負荷電流（電流）
Ｖｏ  駆動電圧（電圧）
Ｖｔ１，Ｖｔ１１  上限閾値
Ｖｔ２，Ｖｔ１２  下限閾値
Ｗ１  検知待ち期間（所定期間）
【図１】
2018166068.tif 000003
【図２】
2018166068.tif 000004
【図３】
2018166068.tif 000005
【図４】
2018166068.tif 000006
【図５】
2018166068.tif 000007
【図６】
2018166068.tif 000008
【図７】
2018166068.tif 000009
【図８】
2018166068.tif 000010
【図９】
2018166068.tif 000011
【図１０】
2018166068.tif 000012
【図１１】
2018166068.tif 000013